(57)【要約】【目的】  簡単な構造で所定観察領域での画像視認を可能とすることができ、更には、所定観察領域での画像視認と不特定領域での画像視認とを切り替えることができる画像表示モジュール及び画像表示装置を提供する。【構成】  液晶表示パネル２１はカラーフィルタを備えた透過型の液晶である。カラー帯状光源３０は、液晶表示パネル２１の画素並びに対応して、縦ラインに同一色の色発光領域が並んでいる。前記カラー帯状光源３０の色発光領域からの色光線は、液晶表示パネル２１の同一色の色画素を通ることで中央の観察領域へ導かれる。そして、前記中央の観察領域に隣接する領域では、液晶表示パネル２１上の各色画素にその色とは異なる色の色光線が導かれることによって色吸収が生じるため、画像を認識できない。分散型液晶パネル２２が光拡散状態であるとき、カラー帯状光源３０からの各色光線は分散型液晶パネル２２によって拡散される。【選択図】        図１
2007057854.tif 000002
【特許請求の範囲】
【請求項１】
フルカラー画像を表示するために少なくとも３色の画素が配列された透過型の画像表示パネルと、
前記画像表示パネルの裏面側に設けられ、当該画像表示パネルの前記画素の色配列に対応した色配列を有する微小な色光源部を有して成り、前記画像表示パネル上の各色画素により形成される画像が、所定観察領域に隣接する領域では前記色光源部と前記色画素とにより生じる色吸収によって遮られる一方、前記所定観察領域では色吸収されることなく視認できるように設けられたカラー光源と、
を備えたことを特徴とする画像表示モジュール。
【請求項２】
請求項１に記載の画像表示モジュールにおいて、前記カラー光源の近傍に、各色光源部の出射光を集光して前記画像表示パネルの各色画素に導く集光手段を備えたことを特徴とする画像表示モジュール。
【請求項３】
請求項１又は請求項２に記載の画像表示モジュールにおいて、通電によって光の透過と拡散を切り替える光拡散手段を、前記画像表示パネルと前記カラー光源との間又は前記画像表示パネルの表側に備えたことを特徴とする画像表示モジュール。
【請求項４】
請求項３に記載の画像表示モジュールにおいて、前記光拡散手段が光拡散状態であるときの前記カラー光源への供給電力よりも、前記光拡散手段が光透過状態であるときの前記カラー光源への供給電力を少なくすることを特徴とする画像表示モジュール。
【請求項５】
フルカラー画像を表示するために少なくとも３色の画素が配列された画像表示パネルと、
前記画像表示パネルの表面側に設けられ、当該画像表示パネルの前記画素の色配列に対応した色配列を有する微小な色光透過領域を有して成り、前記画像表示パネル上の各色画素により形成される画像が、所定観察領域に隣接する領域では前記色光透過領域と前記色画素とにより生じる色吸収によって遮られる一方、前記所定観察領域では色吸収されることなく視認できるように設けられたカラーフィルタと、
を備えたことを特徴とする画像表示モジュール。
【請求項６】
請求項５に記載の画像表示モジュールにおいて、前記画像表示パネルの近傍に、各色画素の出射光を集光して前記カラーフィルタの各色透過領域に導く集光手段を備えたことを特徴とする画像表示モジュール。
【請求項７】
請求項５又は請求項６に記載の画像表示モジュールにおいて、通電によって光の透過と拡散を切り替える光拡散手段を、前記画像表示パネルと前記カラーフィルタとの間又は前記カラーフィルタの表側に備えたことを特徴とする画像表示モジュール。
【請求項８】
請求項７に記載の画像表示モジュールにおいて、前記光拡散手段が光拡散状態であるときの前記画像表示パネルへの供給電力よりも、前記光拡散手段が光透過状態であるときの前記画像表示パネルへの供給電力を少なくすることを特徴とする画像表示モジュール。
【請求項９】
請求項１乃至請求項８のいずれかに記載の画像表示モジュールにおいて、前記所定観察領域を前記画像表示パネルからみて正面位置としたことを特徴とする画像表示モジュール。
【請求項１０】
請求項１乃至請求項９のいずれかに記載の画像表示モジュールにおいて、前記微小な色光源又は色光透過領域は、点状又は帯状を有することを特徴とする画像表示モジュール。
【請求項１１】
請求項１乃至請求項１０のいずれかに記載の画像表示モジュールと、通信手段又は放送受信手段又は画像再生手段によって得られた画像を前記画像表示モジュールに表示させる手段と、を備えたことを特徴とする画像表示装置。
【発明の詳細な説明】
【技術分野】
【０００１】
この発明は、所定観察領域での画像視認が可能な画像表示モジュール及び画像表示装置に関する。
【背景技術】
【０００２】
液晶ディスプレイは視野角の狭さが課題の一つであったが、その課題も近年解決されるに至り、ＣＲＴと比較しても遜色のないほど広視野角になった。その一方、モバイル化（ノーＰＣ、携帯電話等）に伴うパーソナルユースに対しては、プライバシーの保護の観点から、逆に狭い視野角のディスプレイが好まれる。さらに、今後のユビキタス化に伴うディスプレイのパーソナルユースとグループユース両立の要請により、広視野角と狭視野角のスイッチングが可能な視野角可変ディスプレイの実現が望まれている。
【０００３】
従来の視野角制御技術の一つとして、シール型視野角制御技術である「ライトコントロールフィルム」と呼ばれるデバイスが知られている。このデバイスはマイクロルーバーフィルムをＰＥＴ（ポリエチレンテレフタレート）などのフィルムでラミネートした構造を有する。不要光をルーバーで遮光することで、透過光の方向と可視角度をコントロールできる。ルーバー構造を備えてはいるが膜厚は薄いため、表示装置内または前面への装着が容易で、画面のサイズに合わせた製作も可能である。
【０００４】
また、従来の狭視野角化技術として、液晶フィルター型視野角制御技術が挙げられる。この技術は、内部に注入した液晶に電圧を印加して液晶分子の配列を変化させ、遮光により透過光の制御を行う。横方向の視野角を制御する場合、液晶分子がすべて同じ配向方向だと、左右のうち片方の視野角しか制御できない。そこで、左側から見たときの視野角を制御する液晶と右側から見たときの視野角を制御する液晶を「市松模様」状に並べた構造としている。このフィルターをディスプレイの表面に張り、液晶駆動電圧を印加することで視野角を制御できる。さらに、印加電圧を調整することで希望する大きさの視野角を発生させることができる。また、左視野角制御液晶・右視野角制御液晶の配置は自由であるため、左右の斜め方向からだけ確認できる固定パターン（ロゴや商標、意匠など）を表示することもできる。
【０００５】
なお、カラーフィルタ（カラー線光源）で画像を分離する立体映像表示装置が知られている（特許文献１参照）。
【特許文献１】特開平０８−１９４１９０号公報
【発明の開示】
【発明が解決しようとする課題】
【０００６】
しかしながら、前記視野角制御用のルーバーや液晶フィルターは比較的高価である。また、前記液晶フィルターでは、左側から見たときと右側から見たときの遮光領域が混在しているため、十分な遮光ができない。
【０００７】
この発明は、上記の事情に鑑み、安価な構造で所定観察領域での画像視認を可能とすること、更には、所定観察領域での画像視認と不特定領域での画像視認とを切り替えることができる画像表示モジュール及びこの画像表示モジュールを用いた画像表示装置を提供することを目的とする。
【課題を解決するための手段】
【０００８】
この発明の画像表示モジュールは、上記の課題を解決するために、フルカラー画像を表示するために少なくとも３色の画素が配列された透過型の画像表示パネルと、前記画像表示パネルの裏面側に設けられ、当該画像表示パネルの前記画素の色配列に対応した色配列を有する微小な色光源部を有して成り、前記画像表示パネル上の各色画素により形成される画像が、所定観察領域に隣接する領域では前記色光源部と前記色画素とにより生じる色吸収によって遮られる一方、前記所定観察領域では色吸収されることなく視認できるように設けられたカラー光源と、を備えたことを特徴とする。
【０００９】
上記の構成であれば、カラー光源を備えるという比較的安価な構造で所定観察領域での画像視認を可能とすることができる。
【００１０】
上記構成において、前記カラー光源の近傍に、各色光源部の出射光を集光して前記画像表示パネルの各色画素に導く集光手段を備えていてもよい。
【００１１】
これら構成の画像表示モジュールにおいて、通電によって光の透過と拡散を切り替える光拡散手段を、前記画像表示パネルと前記カラー光源との間又は前記画像表示パネルの表側に備えていてもよい（以下、この項において第１構成という）。この第１構成であれば、所定観察領域で画像観察が可能な状態と不特定領域で画像観察が可能な状態とを切り替えることができる。
【００１２】
また、上記第１構成において、前記光拡散手段が光拡散状態であるときの前記カラー光源への供給電力よりも、前記光拡散手段が光透過状態であるときの前記カラー光源への供給電力を少なくしてもよい。
【００１３】
また、この発明の画像表示モジュールは、フルカラー画像を表示するために少なくとも３色の画素が配列された画像表示パネルと、前記画像表示パネルの表面側に設けられ、当該画像表示パネルの前記画素の色配列に対応した色配列を有する微小な色光透過領域を有して成り、前記画像表示パネル上の各色画素により形成される画像が、所定観察領域に隣接する領域では前記色光透過領域と前記色画素とにより生じる色吸収によって遮られる一方、前記所定観察領域では色吸収されることなく視認できるように設けられたカラーフィルタと、を備えたことを特徴とする。
【００１４】
上記の構成であれば、カラーフィルタを備えるという比較的安価な構造で所定観察領域での画像視認を可能とすることができる。
【００１５】
上記構成において、前記画像表示パネルの近傍に、各色画素の出射光を集光して前記カラーフィルタの各色透過領域に導く集光手段を備えていてもよい。
【００１６】
これら構成の画像表示モジュールにおいて、通電によって光の透過と拡散を切り替える光拡散手段を、前記画像表示パネルと前記カラーフィルタとの間又は前記カラーフィルタの表側に備えていてもよい（以下、この項において第２構成という）。この第２構成であれば、所定観察領域で画像観察が可能な状態と不特定領域で画像観察が可能な状態とを切り替えることができる。
【００１７】
また、上記第２構成において、前記光拡散手段が光拡散状態であるときの前記画像表示パネルへの供給電力よりも、前記光拡散手段が光透過状態であるときの前記画像表示パネルへの供給電力を少なくすることとしてもよい。
【００１８】
これら構成において、前記所定観察領域を前記画像表示パネルからみて正面位置とするのがよい。また、前記微小な色光源又は色光透過領域は、点又は線形状を有していてもよい。
【００１９】
また、この発明の画像表示装置は、上述したいずれかの画像表示モジュールと、通信手段又は放送受信手段又は画像再生手段によって得られた画像を前記画像表示モジュールに表示させる手段と、を備えたことを特徴とする。
【発明の効果】
【００２０】
この発明によれば、安価な構造で所定観察領域での画像視認を可能とすることができる。光拡散手段を備える構成であれば、所定観察領域での画像視認と不特定領域での画像視認とを切り替えることができるという効果を奏する。
【発明を実施するための最良の形態】
【００２１】
以下、この発明の実施形態を図１乃至図１３に基づいて説明していく。なお、以下には通信環境を備えたパーソナルコンピュータを例示するが、携帯電話などの携帯機器についても同様に本願の画像表示装置として構成できる。
【００２２】
図１２にパーソナルコンピュータのアーキテクチャの一例を示す。ＣＰＵ１は、システムコントロール機能を持つノースブリッジ２とＰＣＩバスやＩＳＡバスなどのインタフェース機能を持つサウスブリッジ３に接続される。ノースブリッジ２には、メモリ４や、ＡＧＰ（Ａｃｃｅｌｅｒａｔｅｄ  Ｇｒａｐｈｉｃｓ  Ｐｏｒｔ）を介してビデオカード５が接続される。そして、サウスブリッジ３には、ＵＳＢ（Ｕｎｉｖｅｒｓａｌ  Ｓｅｒｉａｌ  Ｂｕｓ）インタフェース６、ハードディスクドライブ（ＨＤＤ）７、及びＤＶＤ装置８等が接続される。
【００２３】
図１３に一般的なビデオカード５を示す。ＶＲＡＭ（ビデオメモリ）コントローラ５ｂはＡＧＰを介してＣＰＵ１からの命令で描画データのＶＲＡＭ５ａへの書き込み・読み込みの制御を行う。ＤＡＣ（Ｄ／Ａ変換器）５ｃはＶＲＡＭコントローラ５ｂからのディジタル画像データをアナログ画像信号に変換し、この画像信号をビデオバッファ５ｄを介してパソコン用のモニタ２０（２０Ａ，２０Ｂ，２０Ｃ，２０Ｄ）に供給する。パソコン用のモニタ２０が本願の画像表示モジュールに相当する。パーソナルコンピュータは、ネット接続環境を備え、インターネット上のサーバなどとして構成される送信側装置からファイル（例えば、文書ファイル、メール、ＨＴＭＬファイル、ＸＭＬファイル、ＭＰＥＧファイルなど）を受信することができる。
【００２４】
図１はモニタ２０Ａと視点位置（観察位置）との関係を表している。モニタ２０Ａは、カラー帯状光源３０と、このカラー帯状光源３０の光出射側に配置された液晶表示パネル２１と、この液晶表示パネル２１の光出射側に配置された分散型液晶パネル（光拡散手段）２２とから成る。前記液晶表示パネル２１はカラーフィルタを備えたフルカラーの透過型の液晶であり、例えば縦ラインに同一色の画素が並んでいる。そして、水平方向にＲ（赤），Ｇ（緑），Ｂ（青），Ｒ，Ｇ，Ｂ，・・・のごとく色画素が並んでいる。
【００２５】
カラー帯状光源３０は、上記液晶表示パネル２１の画素並びに対応して、縦ラインに同一色の発光領域が並んでいる。そして、水平方向にＲ（赤），Ｇ（緑），Ｂ（青），Ｒ，Ｇ，Ｂ，・・・のごとく発光領域が並んでいる。カラー帯状光源３０は白色バックライトにカラーフィルタを備えることで上記のごとく各色発光領域が形成されたものでもよい。或いは、ＥＬ（エレクトロルミネッセント）素子や面発光レーザーなどの自発光素子によって各色発光領域を形成してもよい。
【００２６】
前記カラー帯状光源３０の色発光領域からの色光線は、液晶表示パネル２１の同一色の色画素を通ることで中央の観察領域（図１の視点箇所）へ導かれるようになっている。すなわち、このような光線規制がなされるように、前記色画素のピッチ、前記色発光領域のピッチ、及び液晶表示パネル２１とカラー帯状光源３０との間隔が設定される。そして、前記中央の観察領域に隣接する領域では、液晶表示パネル２１上の各色画素にその色とは異なる色の色光線（カラー帯状光源３０の色光線）が導かれることによって色吸収が生じるため、画像を認識できないことになる。より具体的には、カラー帯状光源３０の赤色発光領域Ｒから出射された赤色光線のうち液晶表示パネル２１の緑色画素Ｇや青色画素Ｂに進む赤色光線はこれら緑色画素Ｇや青色画素Ｂに吸収される。同様に、緑色発光領域Ｇから出射された緑色光線のうち液晶表示パネル２１の赤色画素Ｒや青色画素Ｂに進む緑色光線はこれら赤色画素Ｒや青色画素Ｂに吸収される。同様に、青色発光領域Ｂから出射された青色光線のうち液晶表示パネル２１の赤色画素Ｒや緑色画素Ｇに進む青色光線はこれら赤色画素Ｒや緑色画素Ｂに吸収される。よって、ユーザーは図１の視点位置（映像到達範囲）において液晶表示パネル２１に表示された画像を見ることができる一方、前記視点位置（映像到達範囲）から外れた位置では液晶表示パネル２１に表示された画像は見られないことになる。
【００２７】
分散型液晶パネル２２は、液晶表示パネル２１とカラー帯状光源３０との間に配置されている。分散型液晶パネル２２は、光を拡散する状態と光を透過する状態とが通電のＯＮ／ＯＦＦによって切り替わる。分散型液晶パネル２２が光透過状態であるとき、前述したごとく、ユーザーは図１の視点位置（映像到達範囲）において液晶表示パネル２１に表示された画像を見ることができるが、ユーザーの隣に位置する者は、液晶表示パネル２１に表示された画像を見ることができない。このことは、例えばプライバシーモードでの画像表示状態となる。一方、分散型液晶パネル２２が光拡散状態であるとき、カラー帯状光源３０からの各色光線は分散型液晶パネル２２によって拡散され、擬似的に分散型液晶パネル２２が白色バックライトとして機能することになる。このため、液晶表示パネル２１に表示された画像は不特定の位置で見られることになる。このことは、例えばグループユースモードでの画像表示状態となる。ユーザーは、パーソナルコンピュータの使用状況に応じて図示しないスイッチ（物理的なスイッチ或いは画面に表示されたソフトスイッチ）をＯＮ／ＯＦＦし、例えばプライバシーモードでの画像表示とグループユースモードでの画像表示を選択することになる。
【００２８】
図２はモニタ２０Ｂと視点位置（観察位置）との関係を表している。モニタ２０Ｂは、カラー帯状光源３０と液晶表示パネル２１と分散型液晶パネル２２とから成る。図１との相違点は、分散型液晶パネル２２が液晶表示パネル２１の表面側に配置されている点である。かかる構成において、分散型液晶パネル２２が光拡散状態であるとき、液晶表示パネル２１の各色画素を通った色光線は分散型液晶パネル２２によって拡散されて四方に導かれることになる。このため、液晶表示パネル２１に表示された画像は不特定の位置で見られることになる。なお、この実施形態では、分散型液晶パネル２２を液晶表示パネル２１の表面側に極力近接させて配置している。
【００２９】
ところで、図３に示すように、カラー帯状光源３０から出射される各色光線は広がるため、その出射光全体に対する使用光（活用光）の割合は低く、輝度が低くなる。そこで、図４に示しているように、カラー帯状光源３０の各色発光領域にシリンドリカルレンズ３１ａを配置してもよい。複数のシリンドリカルレンズ３１ａから成る構造体をレンチキュラレンズ３１と以下称する。なお、図４に示している例では、線状のＥＬ発光素子３０ａの光出射側に間隔（出射光の広がり角度とシリンドリカルレンズ３１ａの光入射面の大きさとを考慮した間隔）をおいてレンチキュラレンズ３１を配置している。なお、各ＥＬ発光素子３０ａの出射光が隣のシリンドリカルレンズ３１ａに入射しないように、例えば、隣り合うＥＬ発光素子３０ａの間に壁（例えば、山型の壁とし、その壁面をミラー面としてもよい）を形成してもよい。
【００３０】
前記図４に示した例では、各色発光領域からの光線が液晶表示パネル２１の各画素幅に略一致して当該画素を透過するように前記光線の集光を制御しており、液晶表示パネル２１の画素への入射角はｆとなっている。ここで、カラー帯状光源３０から出射される各色光線の広がり角がθであると、光利用効率の向上率はθ／ｆとなる。なお、レンチキュラレンズ３１を配置する構成においては、分散型液晶パネル２２は液晶表示パネル２１の表側に配置するのがよい。また、レンチキュラレンズ３１に変えてフライアイレンズを用いることにより、水平方向だけでなく垂直方向にも光線を集めることが可能になり、更に光利用効率が向上することになる。
【００３１】
光線が画素を通過する時の光線幅を当該画素幅に一致させないで光線の集光を制御するものでも構わない。例えば、図５では画素通過時の光線の集光幅が画素よりも広い場合を示しており、図６は前記集光幅が前記画素よりも狭い場合を示している。
【００３２】
図７はモニタ２０Ｃと視点位置（観察位置）との関係を表している。モニタ２０Ｃは、画像表示パネル２５と、この画像表示パネル２５の光出射側に配置された分散型液晶パネル２２と、この分散型液晶パネル２６の光出射側に配置されたカラーフィルタ３５とから成る。図１との相違点は、カラー帯状光源３０に代えてカラーフィルタ３５を備えている点である。また、画像表示パネル２５としては液晶表示パネル（バックライト付き）に限らず、ＥＬ表示素子などの自発光型の表示パネルを用いることができる。
【００３３】
前記画像表示パネル２５は例えば縦ラインに同一色の画素を有する。そして、水平方向にＲ（赤），Ｇ（緑），Ｂ（青），Ｒ，Ｇ，Ｂ，・・・のごとく色画素が並んでいる。
【００３４】
カラーフィルタ３５は、上記画像表示パネル２５の画素並びに対応して、縦ラインに同一色の色光透過領域が並んでいる。そして、水平方向にＲ（赤），Ｇ（緑），Ｂ（青），Ｒ，Ｇ，Ｂ，・・・のごとく色光透過領域が並んでいる。
【００３５】
前記画像表示パネル２５の色画素からの色光線は、カラーフィルタの同一色の色光透過領域を通ることで中央の観察領域（図７の視点箇所）へ導かれるようになっている。すなわち、このような光線規制がなされるように、前記色画素のピッチ、前記色光透過領域のピッチ、及び画像表示パネル２５とカラーフィルタ３５との間隔が設定される。そして、前記中央の観察領域に隣接する領域では、画像表示パネル２５からの色光線はその色とは異なる色のフィルター部分を通るため、色吸収が生じて画像を認識できないことになる。より具体的には、赤色画素Ｒから出射された赤色光線のうちカラーフィルタ３５の緑色光透過領域Ｇや青色光透過領域Ｂに進む赤色光線はこれら緑色光透過領域Ｇや青色光透過領域Ｂに吸収される。同様に、緑色画素Ｇから出射された緑色光線のうちカラーフィルタ３５の赤色光透過領域Ｒや青色光透過領域Ｂに進む緑色光線はこれら赤色光透過領域Ｒや青色光透過領域Ｂに吸収される。同様に、青色画素Ｂから出射された青色光線のうちカラーフィルタ３５の赤色光透過領域Ｒや緑色光透過領域Ｇに進む青色光線はこれら赤色光透過領域Ｒや緑色光透過領域Ｂに吸収される。よって、図７の視点位置（映像到達範囲）において画像表示パネル２５に表示された画像を見ることができる一方、前記視点位置（映像到達範囲）から外れた位置では画像表示パネル２５に表示された画像は見られないことになる。
【００３６】
分散型液晶パネル２２は、画像表示パネル２５とカラーフィルタ３５との間に配置されている。分散型液晶パネル２２は、光を拡散する状態と光を透過する状態とが通電のＯＮ／ＯＦＦによって切り替わる。分散型液晶パネル２２が光透過状態であるとき、前述したごとく、ユーザーは図７の視点位置（映像到達範囲）において液晶表示パネル２１に表示された画像を見ることができるが、ユーザーの隣に位置する者は、画像を見ることができない。一方、分散型液晶パネル２２が光拡散状態であるとき、画像表示パネル２５からの各色光線は分散型液晶パネル２２によって拡散され、擬似的に当該分散型液晶パネル２２上で映像光が拡散的に出射されることになる。このため、画像表示パネル２５に表示された画像は不特定の位置で見られることになる。
【００３７】
図８はモニタ２０Ｄと視点位置（観察位置）との関係を表している。モニタ２０Ｄは、カラーフィルタ３５と画像表示パネル２５と分散型液晶パネル２２とから成る。図７との相違点は、分散型液晶パネル２２がカラーフィルタ３５の表面側に配置されている点である。かかる構成において、分散型液晶パネル２２が光拡散状態であるとき、カラーフィルタ３５の各色光透過領域を通った色光線（映像光）は分散型液晶パネル２２によって拡散されて四方に導かれることになる。このため、画像表示パネル２５に表示された画像は不特定の位置で見られることになる。なお、この実施形態では、分散型液晶パネル２２をカラーフィルタ３５の表面側に極力近接させて配置している。
【００３８】
ところで、画像表示パネル２５から出射される各色光線は広がるため、その出射光全体に対する使用光（活用光）の割合は低く、輝度が低くなる。そこで、図９に示しているように、画像表示パネル２５の各画素にシリンドリカルレンズ３２ａを配置してもよい。複数のシリンドリカルレンズ３２ａから成る構造体をレンチキュラレンズ３２と以下称する。
【００３９】
前記図９に示した例では、各画素からの光線がカラーフィルタ３５の各色光透過領域の幅に略一致して当該色光透過領域を透過するように前記画素からの光線の集光を制御している。なお、レンチキュラレンズ３２を配置する構成においては、分散型液晶パネル２２はカラーフィルタ３５の表側に配置するのがよい。また、レンチキュラレンズ３２に変えてフライアイレンズを用いることにより、水平方向だけでなく垂直方向にも光線を集めることが可能になり、更に光利用効率が向上することになる。
【００４０】
光線がカラーフィルタ３５の各色光透過領域を通過する時の光線幅を当該色光透過領域の幅に一致させないで光線の集光を制御するものでも構わない。例えば、図１０では画素通過時の光線の集光幅が各色光透過領域よりも広い場合（この場合の光線を実線で現している）を示しており、図１１は前記集光幅が前記色光透過領域よりも狭い場合を示している。
【００４１】
以上説明した画像表示モジュール（モニタ）において、分散型液晶パネル（光拡散手段）２２を備えない構成も有用である。かかる構成は、所定観察領域で画像観察が可能な状態と不特定領域で画像観察が可能な状態とを切り替えることができない構成であるが、例えば、プライバシーモード専用の画像表示モジュールとする場合に用いることができる。
【００４２】
所定観察領域で画像観察が可能な第１状態と不特定領域で画像観察が可能な第２状態とを切り替えることを可能とする構成においては、前記第１状態におけるカラー帯状光源３０又は画像表示パネル２５の輝度（供給電力）を第２状態のそれよりも低減させることとしてもよい。前記第１状態では映像が視点位置に集約されるため、前記輝度（供給電力）を低くしてもユーザーは明るい画面を見ることが可能である。これによって、省電力化が図れることになる。
【００４３】
また、上記の例では、画像表示モジュールとしてパソコン用のモニタ２０を示したが、これに限るものではなく、携帯電話の表示パネル、カーナビゲーションシステムの表示パネル、テレビジョンセットの表示パネル、ＤＶＤプレーヤの表示パネル、ディジタルカメラの表示パネルなどしても用いることができる。
【００４４】
また、カラー帯状光源３０に代えてカラー点状光源を用いることができる。また、縦ラインに同一色の画素或いは色光透過領域が並ぶ構成を示したが、かかる構成に限られない。画素並びはどのような画素並びでもよく、カラー帯状光源やカラー点状光源の各色発光領域或いはカラーフィルタの各色光透過領域は、前記画素並びに応じて変更すればよい。
【００４５】
また、３原色による画像表示の例を示したが、３原色以外の色（例えば、シアンやホワイト）の画素を含む場合にも本願発明を適用できる。例えば、液晶表示パネルは縦ラインに同一色の画素が並び、水平方向にＲ（赤），Ｇ（緑），Ｂ（青），シアン（Ｃ），Ｒ，Ｇ，Ｂ，Ｃ，・・・のごとく色画素が並ぶとする。カラー帯状光源は、上記液晶表示パネルの画素並びに対応して、縦ラインに同一色の発光領域が並ぶ、水平方向にＲ（赤），Ｇ（緑），Ｂ（青），シアン（Ｃ），Ｒ，Ｇ，Ｂ，Ｃ，・・・のごとく発光領域が並ぶことになる。この場合、シアン光のうちの青色光成分は青色画素を透過する可能性があるが、集光手段で光線を絞ることにより、上記可能性を極力排除することができる。
【図面の簡単な説明】
【００４６】
【図１】この発明の実施形態の画像表示モジュールを示した説明図である。
【図２】この発明の実施形態の他の画像表示モジュールを示した説明図である。
【図３】カラー帯状光源から出射される光線が画素上で利用される範囲を示した説明図である。
【図４】カラー帯状光源から出射される光線が画素上で利用される範囲を示した説明図である。
【図５】カラー帯状光源から出射される光線が画素上で利用される範囲を示した説明図である。
【図６】カラー帯状光源から出射される光線が画素上で利用される範囲を示した説明図である。
【図７】この発明の実施形態の他の画像表示モジュールを示した説明図である。
【図８】この発明の実施形態の他の画像表示モジュールを示した説明図である。
【図９】カラー帯状光源から出射される光線が画素上で利用される範囲を示した説明図である。
【図１０】カラー帯状光源から出射される光線が画素上で利用される範囲を示した説明図である。
【図１１】カラー帯状光源から出射される光線が画素上で利用される範囲を示した説明図である。
【図１２】パーソナルコンピュータのアーキテクチャの一例を示したブロック図である。
【図１３】一般的なビデオカードを示した説明図である。
【符号の説明】
【００４７】
１    ＣＰＵ
４    メモリ
５    ビデオカード
５ａ  ＶＲＡＭ
５ｂ  ＶＲＡＭコントローラ
２０（２０Ａ，２０Ｂ，２０Ｃ，２０Ｄ）パソコンモニタ（画像表示モジュール）
２１  液晶表示パネル
２２  分散型液晶パネル
２５  画像表示パネル
３０  カラー帯状光源
３５  カラーフィルタ
【図１】
2007057854.tif 000003
【図２】
2007057854.tif 000004
【図３】
2007057854.tif 000005
【図４】
2007057854.tif 000006
【図５】
2007057854.tif 000007
【図６】
2007057854.tif 000008
【図７】
2007057854.tif 000009
【図８】
2007057854.tif 000010
【図９】
2007057854.tif 000011
【図１０】
2007057854.tif 000012
【図１１】
2007057854.tif 000013
【図１２】
2007057854.tif 000014
【図１３】
2007057854.tif 000015